(57)【要約】【課題】  １つ以上のＩＣタグ一度に搬送して、ＩＣタグに所定の印字とデータの書き込みを可能にする。【解決手段】  本発明になるＩＣタグ発行装置は、全体を制御する制御部と、少なくとの１つのＩＣタグを収納したトレイの供給を受けたときは前記制御部からの制御を受けて、前記ＩＣタグの表面の印字を消去すること；このＩＣタグの表面に新たな情報を印字すること；このＩＣタグに内蔵される記録領域に前記印字情報に対応する新たな情報を書き込むこと；この書き込み済みのＩＣタグを排出するリライトプリンタとからなるＩＣタグ発行装置において、前記トレイには搭載するＩＣタグの数に応じた数のＩＣタグ収納部が設けられていることを特徴とするものである。【選択図】        図２
2006236087.tif 000002
【特許請求の範囲】
【請求項１】
全体を制御する制御部と、少なくとも１つのＩＣタグを収納したトレイの供給
を受けたときは前記制御部からの制御を受けて、前記ＩＣタグの表面の印字を消
去すること；このＩＣタグの表面に新たな情報を印字すること；このＩＣタグに
内蔵される記録領域に前記印字情報に対応する新たな情報を書き込むこと；この
書き込み済みのＩＣタグを収納したトレイを排出するリライトプリンタとからな
るＩＣタグ発行装置において、
前記トレイには搭載するＩＣタグの数に応じた数のＩＣタグ収納部が設けられ
ていることを特徴とするＩＣタグ発行装置。
【請求項２】
前記トレイのＩＣタグ収納部は打ち抜かれており、その底部に厚さ１０〜２５
０μｍのＩＣタグ落下防止部材が配設されていることを特徴とする請求項１記載
のＩＣタグ発行装置。
【請求項３】
前記トレイの落下防止部材は、粘着性を有することを特徴とする請求項１記載
のＩＣタグ発行装置。
【請求項４】
前記トレイの落下防止部材は、吸着性を有することを特徴とする請求項１記載
のＩＣタグ発行装置。
【請求項５】
前記トレイの高さは、前記ＩＣタグを搭載したときにＩＣタグの上面から０〜
２５０μｍ低くなることを特徴とする請求項１記載のＩＣタグ発行装置。
【請求項６】
前記トレイの材質は耐熱性と強度において、前記ＩＣタグの材質であるＰＥＴ
系と同等以上のものであることを特徴とする請求項１記載のＩＣタグ発行装置。
【発明の詳細な説明】
【技術分野】
【０００１】
本発明は、半導体等を内蔵するとともに表面に印字を可能とする非接触データ
通信に供せられる非接触式ＩＣタグ（以下、単にＩＣタグという。）に係り、特
にこのＩＣタグの表面に印字し、所定のデータを書き込むリライトプリンタ内を
搬送するトレイに関するものである。
【背景技術】
【０００２】
任意のデータの書込み又は読出しができるデータ記憶部とともに消去可能な印
字ができるリライト表示部を備えたリライト印字表示タグが公知である（特許文
献１参照）。なお、このリライト印字表示タグは本発明でいうＩＣタグと同等の
ものである。
そして、このリライト印字表示タグのデータ記憶部にデータを書き込み、リラ
イト表示部に印字をするリライト印字表示タグ発行装置が公知である（特許文献
１参照）。なお、このリライト印字表示タグ発行装置は本発明でいうＩＣタグ発
行装置と同等のものである。
【０００３】
この従来のリライト印字表示タグとこのリライト印字表示タグ発行装置につい
て図３および図４を用いて説明する。
図３の（Ａ）、（Ｂ）及び（Ｃ）は、従来のリライト印字表示タグ発行装置の
一実施例を示している。このリライト印字表示タグ発行装置は、直方体状を成す
本体フレーム２２の前面側に前面パネル２４が設けられ、この前面パネル２４に
は、磁気表示タグ等のリライト印字表示タグ２６の排出口２８とともに受皿部３
０が形成されているとともに、表示部３２が形成されている。表示部３２には、
電源表示３２Ｐ、カートリッジ３６Ａ、３６Ｂの空表示３２Ａ、３２Ｂ及びジャ
ム発生表示３２Ｊが行われる。
【０００４】
そして、本体フレーム２の後部側には、リライト印字表示タグ供給手段として
、リライト印字表示タグ２６を装填したカードリッジ３６Ａ、３６Ｂが着脱可能
に取り付けられ、これらカートリッジ３６Ａ、３６Ｂの着脱部の前方部には、手
動投入部としてのリライト印字表示タグ投入孔３８が形成されている。
【０００５】
次に、図４の（Ａ）及び（Ｂ）は、リライト印字表示タグ発行装置によって発
行されるリライト印字表示タグ２６の一例を示している。図４（Ｂ）は図４
（Ａ）のリライト印字表示タグ２６のＢ−Ｂ矢視図である。この実施例の場合、
リライト印字表示タグ２６は、その一例として磁気表示タグで構成されており、
図４の（Ａ）に示すように、プラスチック等の絶縁体で形成された略長方形状を
成すケース部４０の上面部に消去可能な印字表示を行うことができるリライト表
示部４２が形成されている。このリライト表示部４２は、磁化によって文字等を
印字する部分であって、例えば、その内部には塑性流動体とともに感応磁片が封
入された無数のマイクロカプセルが封入されており、感応磁片が磁化によって変
化する方向でコントラストを生じることを利用したものである。
【０００６】
この実施例のように、リライト表示部４２には券種、発行年月日、有効日、料
金等の各種の表示が行われる。そして、ケース部４０の内部には、データ記憶部
４４が内蔵されており、このデータ記憶部４４は、データの書込み、読出し及び
消去が可能であって、リライト表示部４２の印字に対応するデータが書き込まれ
る。この実施例のリライト印字表示タグ２６では、その一例として磁気印字が可
能な磁気表示タグを例にとって説明しているが、そのリライト表示部４２には、
このような磁気印字の他、感熱印字、光学印字、電気印字等の各種の印字方式を
採用することは勿論差し支えないし、寧ろ、使用目的等に応じて使用者が任意に
選択することができる。
【特許文献１】特開平８−７７３０９号公報
【発明の開示】
【発明が解決しようとする課題】
【０００７】
しかしながら、ＩＣタグは使用する対象に応じて形状を小さくしなければなら
ない。例えば、宝飾品や医薬品に貼り付け、棚卸／売上管理／製品管理用に使用
されるＩＣタグがこれに該当する。このような場合、ＩＣタグ自体には問題点は
ほとんどない。もともと内蔵する電子回路はＩＣタグの外形より十分に小さいの
で、ＩＣタグの外形が少々小さくなったからといって製造上には影響が出ないか
らである。
【０００８】
一方、このようにＩＣタグが小型化するとＩＣタグ発行装置は大きな改造を施
さなければならないという問題点があった。小型のＩＣタグに対応しなければな
らないので、ＩＣタグの外形に合わせた搬送系としなければならないからである
。
【０００９】
本発明は、上記課題を解決するためになされたもので、少なくとも１つの小型
化したＩＣタグの収納部を設けたもとのＩＣタグの外形寸法のトレイを作製する
ことでＩＣタグ発行装置に搬送系の改造を施さず、印字やデータの書き換え部の
小規模な改造で済むＩＣタグ発行装置を提供することを目的とする。また、この
ような１つ以上のＩＣタグ収納部を備えることで生じる問題を解決するためにＩ
Ｃタグ発行装置内をトレイが搬送される間にその収納部に収納されたＩＣタグが
収納部からはみ出したりしないような接着性であって、発行済みのＩＣタグを実
際に使用するときには容易に剥がせる程度の接着性を備えるトレイを提供するこ
とも目的とする。
【課題を解決するための手段】
【００１０】
本発明になるＩＣタグ発行装置は、全体を制御する制御部と、少なくとも１つ
のＩＣタグを収納したトレイの供給を受けたときは前記制御部からの制御を受け
て、前記ＩＣタグの表面の印字を消去すること；このＩＣタグの表面に新たな情
報を印字すること；このＩＣタグに内蔵される記録領域に前記印字情報に対応す
る新たな情報を書き込むこと；この書き込み済みのＩＣタグを収納したトレイを
排出するリライトプリンタとからなるＩＣタグ発行装置において、前記トレイに
は搭載するＩＣタグの数に応じた数のＩＣタグ収納部が設けられていることを特
徴とするものである。
【００１１】
そして、本発明に用いられるトレイは、ＩＣタグ収納部は打ち抜かれており、
その底部に厚さ１０〜２５０μｍのＩＣタグ落下防止部材が配設されていること
を特徴とするものである。
【００１２】
また、このトレイの落下防止部材は、粘着性を有することを特徴とするもので
ある。
【００１３】
また、このトレイの落下防止部材は、吸着性を有することを特徴とするもので
ある。
【００１４】
さらに、このトレイの高さは、前記ＩＣタグを搭載したときにＩＣタグの上面
から０〜２５０μｍ低くなることを特徴とするものである。
【００１５】
また、このトレイの材質は耐熱性と強度において、前記ＩＣタグの材質である
ＰＥＴ系と同等以上のものであることを特徴とするものである。
【発明の効果】
【００１６】
本発明になるＩＣタグ発行装置とトレイを用いれば、少なくとも１つの小型化
したＩＣタグの収納部を設けたもとのＩＣタグの外形寸法のトレイを作製するこ
ととしたのでＩＣタグ発行装置に搬送系の改造を施さず、印字やデータの書き換
え部の小規模な改造で済むＩＣタグ発行装置を提供することができる。
【００１７】
また、このような１つ以上のＩＣタグ収納部を備えることで生じるトレイから
ＩＣタグが脱落したり、反対にトレイからＩＣタグを容易に取り外せないという
問題については、トレイのＩＣタグ落下防止部材に適度な粘着性や適度な吸着性
を備えることとしたので、ＩＣタグ発行装置内をトレイが搬送される間にその収
納部に収納されたＩＣタグが収納部から脱落せず、そして発行済みのＩＣタグを
実際に使用するときには容易に剥がせるトレイを提供することができる。
【００１８】
したがって、使い勝手の良いＩＣタグ発行装置の提供が可能となる。
【発明を実施するための最良の形態】
【００１９】
本発明においては、上述の発明が解決しようとする課題を次のようなＩＣタグ
発行装置とすることで解決した。
【実施例１】
【００２０】
本発明の第１の実施例について図面を参照して説明する。
図１は、本発明になるＩＣタグ発行装置の一実施の形態を示す概要図である。
また、図２（Ａ）は本発明になるＩＣタグ発行装置に用いられるＩＣタグ収納部
付きトレイにＩＣタグを収納したときのトレイの概要図である。図２（Ｂ）は図
２（Ａ）のＡ−Ａ矢視図である。
【００２１】
図１において、１は本発明になるＩＣタグ発行装置、２はＩＣタグ発行装置１
全体を制御する制御部、３は１以上のＩＣタグを収納したトレイの供給を受けた
ときは制御部２からの制御を受けて、ＩＣタグの表面の印字を消去すること；こ
のＩＣタグの表面に新たな情報を印字すること；このＩＣタグに内蔵される記録
領域に前記印字情報に対応する新たな情報を書き込むこと；この書き込み済みの
ＩＣタグを排出するリライトプリンタ、４は制御部２とリライトプリンタ３の間
のデータ信号と制御信号を送信し、受信する通信路である。
【００２２】
ここで、制御部２としてはパーソナルコンピュータを使用することができる。
なお、ＩＣタグを収納したトレイをリライトプリンタ３に連続的に供給可能と
するようにこのトレイを集積する供給集積部と、排出されてくる書き込み済みの
ＩＣタグを収納したトレイを集積する排出集積部をリライトプリンタ３に付加し
ておくことがＩＣタグ発行において便宜であるので、このような集積部を付加し
ておいても良い。
【００２３】
図２において、５はＩＣタグ、１１は本発明になるＩＣタグ収納部付きトレイ
、１２はＩＣタグ収納部、１３はＩＣタグ５の落下防止部材である。
次に、本発明になるＩＣタグ発行装置の動作について説明する。
【００２４】
まず、リライトプリンタ３のトレイ受け入れ口（図示せず。）にトレイ１１を
載置する。
最初に、制御部２からトレイ引き込み信号をリライトプリンタ３に送信する。
リライトプリンタ３はこのトレイ引き込み信号を受けて、前記トレイ受け入れ口
にあるトレイ１１を１枚ずつリライトプリンタ３の内部に引き込み、ＩＣタグの
表面の印字消去部まで搬送する。ここで制御部２から印字消去信号がリライトプ
リンタに送信され、リライトプリンタ３はこの印字消去信号を受けてＩＣタグ５
，５の印字を消去し、トレイ１１を印字部まで搬送する。
【００２５】
ここで、制御部２から第１の書き込みデータ信号と印字指示信号をリライトプ
リンタ３に送信する。リライトプリンタ３はこの第１の書き込みデータ信号と印
字指示信号を受けてＩＣタグ５，５に書き込みデータに応じた文字を印字する。
例えば、図２（Ａ）に示すように、「頭痛薬  ２千円」などといったＩＣタグ５
，５が取り付けられる商品の品名と価格などである。そして、この印字が終了す
ると、トレイ１１をデータ書き込み部に搬送する。
【００２６】
ここで、制御部２から第２の書き込みデータ信号と書き込み指示信号をリライ
トプリンタ３に送信する。リライトプリンタ３はこの第２の書き込みデータ信号
と書き込み指示信号を受けてＩＣタグ５，５に内蔵された記録領域に第２の書き
込みデータに応じた前記印字情報に対応するデータを書き込む。そして、このデ
ータ書き込みが終了すると、トレイ１１をリライトプリンタ３の図示しない排出
口に搬送する。
このようにして、ＩＣタグの発行が終了する。
【００２７】
その後、ＩＣタグ５，５をトレイ１１から取り出し、所定の取り付け対象物で
ある、例えば医薬品に取り付ける。
以上の手順を経て、ＩＣタグが発行され、所定の対象物に取り付けられるので
ある。
【実施例２】
【００２８】
次に実施例２について、図１および図２を用いて説明する。
図２（Ａ）および図２（Ｂ）に示すように、ＩＣタグ収納部付きトレイ１１は
ＩＣタグ収納部１２を備える。そして、このＩＣタグ収納部１２はくりぬかれて
おり、底面にＩＣタグを収納したときに落下を防止するための落下防止部材１３
が設けられている。
【００２９】
このように、ＩＣタグ収納部１２をくりぬきにするのはＩＣタグ５，５とトレ
イ１１を略同じ厚みにする必要があるからである。なお、トレイ１１の材質はＩ
Ｃタグ５，５の材質であるＰＥＴ系のもつ耐熱性と強度等と同等以上の材質のも
のが望ましい。そして、トレイ１１の高さはＩＣタグ５，５の上面より０〜２５
０μｍ低くしておくのが望ましい。このように、トレイ１１の材質を規定し、高
さも規定するのはリライトプリンタ１１内の搬送系の安定した動作とリライトプ
リンタ３内の印字消去部、印字部におけるに良好な消去と印字とを考慮したため
である。
【００３０】
そして、落下防止部材１３は厚さを１０〜２５０μｍとしておくのが適当であ
る。前述のようにトレイ１１とＩＣタグ５，５の高さをほぼ等しくしなければな
らないのであり、トレイ１１とＩＣタグ５，５は略同一の高さがあるからである
。
【実施例３】
【００３１】
次に実施例３について、図１および図２を用いて説明する。
ＩＣタグ５，５は現在単価が高いためや省資源に対応するために再利用をして
いる。そのためにリライトプリンタ３を使用して、ＩＣタグの表面の印字部の印
字を消去したり、所定の文字を印字したりし、ＩＣタグ内の記憶領域に所定の文
字に対応するデータを書き込んだりしているのである。
【００３２】
そうすると、必然的にＩＣタグ５，５はトレイ１１のＩＣタグ収納部１２に収
納したり、取り外したりすることが容易にできなければならない。
このため、ＩＣタグ５，５がトレイ１１に収納され、リライトプリンタ３内で
所定の印字やデータを書き込んでいる時は、ＩＣタグ５，５はトレイ１１の落下
防止部材１３に密着して容易に外れない必要がある。
そして、その反面ＩＣタグ５，５に所定文字の印字とデータの書き込みが済ん
だ後は、容易に外れるのが使用上便宜である。
【００３３】
このため落下防止部材１３には粘着性を有する薄膜状のものが適当である。例
えば「Ｓｃｏｔｃｈ（登録商標）８１１−１−１２」を使用した場合に良好な結
果が得られた。
【００３４】
また、粘着性はなくとも吸着性を有する薄膜状のものでもよい。例えば表面が
シリコン膜で形成されているものである。これは、シリコン膜自体に吸着力があ
るものと考えられる。具体的には、「ＤＧＰ−００６」（ＥＬＥＣＯＭ社製）を
使用した時良好な結果が得られた。
【図面の簡単な説明】
【００３５】
【図１】本発明になるＩＣタグ発行装置の一実施の形態を示す概要図である。
【図２】（Ａ）は本発明になるＩＣタグ発行装置に用いられるＩＣタグ収納部付きトレイをＩＣタグを収納したときの概要図、（Ｂ）は（Ａ）のＡ−Ａ矢視図である。
【図３】（Ａ）、（Ｂ）及び（Ｃ）は、従来のリライト印字表示タグ発行装置の一実施例を示す図である。
【図４】従来のリライト印字表示タグ発行装置によって発行されるリライト印字表示タグの一例を示す図である。
【符号の説明】
【００３６】
１  ＩＣタグ発行装置
２  制御部
３  リライトプリンタ
４  通信路
５  ＩＣタグ
１１  ＩＣタグ収納部付きトレイ
１２  ＩＣタグ収納部
１３  落下防止部材
【図１】
2006236087.tif 000003
【図２】
2006236087.tif 000004
【図３】
2006236087.tif 000005
【図４】
2006236087.tif 000006